(57)【特許請求の範囲】
【請求項１】
装置本体の上面に配設したキーボードと、前記キーボードを覆うと共に内側に液晶ディスプレイを組み込んだ上蓋と、前記装置本体の後部上面にテープカートリッジの収納部を閉蓋する開閉蓋と、前記装置本体の上面に前記開閉蓋の開放させるための操作ボタンと、を備え、前記上蓋が前記キーボードの後方でヒンジ機構を介して前記装置本体に開閉自在に且つ任意の開放角度で制止可能に取り付けられたテープ印刷装置において、
前記上蓋は、前記キーボードを覆う上蓋本体と、
前記ヒンジ機構を内蔵すると共に、前記上蓋本体の後端部において左右いずれかの略半部に延設したヒンジ部とを有し、
前記操作ボタンは、前記上蓋を開放したときに操作し難い或いは操作不能となるように、前記ヒンジ部の後方直近に配設されていることを特徴とするテープ印刷装置。
【請求項２】
前記開閉蓋の前部と前記ヒンジ部とが、前後方向にオーバーラップして配設されていることを特徴とする請求項１に記載のテープ印刷装置。
【請求項３】
前記ヒンジ機構は、開閉する前記上蓋の回動中心となるヒンジピンと、前記上蓋を任意の開放角度に制止させる回動制止機構とを有し、
前記回動制止機構は、前記ヒンジ部の左右両端部のうち、少なくとも前記上蓋本体の左右略中間位置となる前記ヒンジ部の一方の端部に組み込まれていることを特徴とする請求項１または２に記載のテープ印刷装置。
【請求項４】
前記ヒンジ機構は、開閉する前記上蓋の回動中心となるヒンジピンと、前記上蓋を任意の開放角度に制止させる回動制止機構とを有し、
前記回動制止機構は、前記装置本体および前記上蓋の一方に固定され且つ前記ヒンジピンに軸着する固定片および他方に固定され前記ヒンジピンに回動自在に軸支される可動片と、
前記可動片に摺接すると共に当該可動片を軸方向に付勢する環状の板ばねとを有することを特徴とする請求項１または２に記載のテープ印刷装置。
【請求項５】
前記板ばねとの間に前記可動片を挟み込むように位置規制用座金を有し、
前記位置規制用座金は、前記ヒンジピンに回止め状態で装着した環状の座金本体と、前記座金本体から径方向の外側に延設した舌片状のストッパ部とから成り、
前記可動片には、前記上蓋の開放端位置に対応する正方向回動端位置で前記ストッパ部の周方向の一方の端面に当接する第１突片が形成されていることを特徴とする請求項４に記載のテープ印刷装置。
【請求項６】
前記可動片は、前記ヒンジピンに回動自在に軸支される軸支部と、前記装置本体または前記上蓋に固定される取付け片とで構成され、
前記第１突片は、前記取付け片部の一方の端部で構成されていることを特徴とする請求項５に記載のテープ印刷装置。
【請求項７】
前記可動片には、前記上蓋の閉塞端位置に対応する逆方向回動端位置で前記ストッパ部の周方向の他方の端面に当接する第２突片が形成されていることを特徴とする請求項５または６に記載のテープ印刷装置。
【請求項８】
前記可動片は、前記ヒンジピンに回動自在に軸支される軸支部と、前記装置本体または前記上蓋に固定される取付け片とで構成され、
前記第２突片は、前記軸支部の径方向に突出する部位を前記位置規制用座金側に折り曲げて形成されていることを特徴とする請求項７に記載のテープ印刷装置。
【請求項９】
前記上蓋が前記装置本体の上面に倒れ込む完全閉塞状態において、前記第２突片は前記ストッパ部の他方の端面との間にわずかに間隙を存して対峙していることを特徴とする請求項７または８に記載のテープ印刷装置。
【請求項１０】
前記可動片と前記位置規制用座金との相互の摺接面には、一方に凹部が、他方にこれにクリック係合する凸部がそれぞれ形成され、
前記凹部と前記凸部とは、前記上蓋が閉塞端位置に回動したときにクリック係合することを特徴とする請求項５ないし９のいずれかに記載のテープ印刷装置。
【請求項１１】
前記凹部はその縁部を直角に切り込まれ、
前記凸部は台形形状に突出形成されていることを特徴とする請求項１０に記載のテープ印刷装置。
【請求項１２】
前記ヒンジピンは、フランジ状の頭部と前記頭部から延びる胴部とから成り、
前記胴部の先端部で前記固定片に固着していることを特徴とする請求項４ないし１１のいずれかに記載のテープ印刷装置。
【発明の詳細な説明】
【０００１】
【発明の属する技術分野】
本発明は、内側に液晶ディスプレイを組み込んだ上蓋を有するテープ印刷装置に関するものである。
【０００２】
【従来の技術】
従来、この種のテープ印刷装置として、装置本体の上面前半部にキーボートおよび上蓋を配設し、上面後半部にテープカートリッジの収納部を配設したものが知られている。この場合、上蓋は、装置本体の上面の前後中間部においてヒンジを介して装置本体に回動自在に取り付けられており、斜め後方に起立させた開放位置で、キーボードおよび上蓋の内側に組み込んだディスプレイを開放し、前方に倒し込んだ閉塞位置で、キーボードを覆い且つディスプレイを閉じるようになっている。装置本体の上面の前後中間部には、その左右２個所に上蓋のヒンジを受けるヒンジ受け部が突出しており、上蓋のヒンジ部がこの左右のヒンジ受け部間に嵌合するようにして、回動自在に軸支されている。
【０００３】
また、この種の上蓋では、ディスプレイの起立角度を調整可能とすべく、上蓋を任意の開放角度に制止させるためのヒンジ機構が組み込まれている。このようなヒンジ機構として、例えば特開昭６４−７８３１２号公報に記載のものが知られている。このヒンジ機構は、ヒンジピンを板ばねで巻き締めた構造となっており、この構造により、上蓋の起立角度を任意に調整できるようになっている。
【０００４】
【発明が解決しようとする課題】
このような従来のテープ印刷装置では、上蓋のヒンジ部と装置本体のヒンジ受け部とが、装置本体の上面の前後中間部に配設されているため、この中間部から前方にキーボードを、後方に開閉蓋付きのカートリッジ収納部を配設せざるを得ない。このため、装置本体の前後方向の長さが、キーボード、ヒンジ部および開閉蓋（カートリッジ収納部）を加算した長さとなり、装置が大型化してしまう問題があった。
また、従来のヒンジ機構では、ヒンジピンを板ばねで巻き締める構造であるためため、機構全体が軸方向に長くなり、全体として大型化する不具合があった。
【０００５】
本発明は、ディスプレイ付きの上蓋を設けても装置本体の大型化を抑制することができるテープ印刷装置を提供することをその課題としている。
【０００６】
【課題を解決するための手段】
本発明のテープ印刷装置は、装置本体の上面に配設したキーボードと、キーボードを覆うと共に内側に液晶ディスプレイを組み込んだ上蓋と、装置本体の後部上面にテープカートリッジの収納部を閉蓋する開閉蓋と、装置本体の上面に開閉蓋の開放させるための操作ボタンと、を備え、上蓋がキーボードの後方でヒンジ機構を介して装置本体に開閉自在に且つ任意の開放角度で制止可能に取り付けられたテープ印刷装置において、上蓋は、キーボードを覆う上蓋本体と、ヒンジ機構を内蔵すると共に、上蓋本体の後端部において左右いずれかの略半部に延設したヒンジ部とを有し、操作ボタンは、上蓋を開放したときに操作し難い或いは操作不能となるように、ヒンジ部の後方直近に配設されていることを特徴とする。
【０００７】
この構成によれば、ヒンジ機構を内蔵した上蓋のヒンジ部が、キーボードを覆う上蓋本体の後端部において左右いずれかの略半部に延設されているため、ヒンジ部の無い左右他方の略半部が、空きスペースとなる。このため、この空きスペースとなる装置本体の上面中間部の略半部に、適宜部品などを配置することができる。
また、上蓋を解放すると操作ボタンの操作がし難くなり、或いは操作不能となる。このため、上蓋を開放して入力・編集などのキー操作を行っているとき、特に印刷指令に基づいて印刷を行っているときに、誤って操作ボタンが押されるのを、有効に防止することができる。
【０００８】
この場合、開閉蓋の前部とヒンジ部とが、前後方向にオーバーラップして配設されていることが、好ましい。
【０００９】
この構成によれば、開閉蓋の前部とヒンジ部とをオーバーラップさせた分、装置本体の前後方向を短く構成することができる。なお、上蓋を開放して入力・編集作業を行う場合には、テープカートリッジの収納部への着脱は行わないため、上蓋を開放することで収納部の開閉蓋が開放不能となっても、支障を生ずることはない。
【００１２】
これらの場合、ヒンジ機構は、開閉する上蓋の回動中心となるヒンジピンと、上蓋を任意の開放角度に制止させる回動制止機構とを有し、回動制止機構は、ヒンジ部の左右両端部のうち、少なくとも上蓋本体の左右略中間位置となるヒンジ部の一方の端部に組み込まれていることが、好ましい。
【００１３】
この構成によれば、液晶ディスプレイを組み込んだ上蓋本体に対しては、その左右略中間位置に回動制止機構による制動トルクが作用するため、上蓋本体に制動トルクがバランス良く作用し、上蓋を安定に開閉することができると共に、開閉の際の上蓋本体の歪みなどを極力防止することができる。
【００１４】
上記のテープ印刷装置において、ヒンジ機構は、開閉する上蓋の回動中心となるヒンジピンと、上蓋を任意の開放角度に制止させる回動制止機構とを有し、回動制止機構は、装置本体および上蓋の一方に固定され且つヒンジピンに軸着する固定片および他方に固定されヒンジピンに回動自在に軸支される可動片と、可動片に摺接すると共に可動片を軸方向に付勢する環状の板ばねとを有することが、好ましい。
【００１５】
この構成によれば、装置本体（または上蓋）に固定した固定片と、上蓋（または装置本体）に固定した可動片と、可動片に制動トルクを作用させる板ばねとを、ヒンジピンの軸方向に並べて配置することができるため、この部分をコンパクトに構成することができる。また、板ばねが、可動片に対し付勢しなが摺接するため、摺接面積を比較的大きくとることができ、可動片に安定した制動トルクを作用させることができる。
【００１６】
この場合、板ばねとの間に可動片を挟み込むように位置規制用座金を有し、位置規制用座金は、ヒンジピンに回止め状態で装着した環状の座金本体と、座金本体から径方向の外側に延設した舌片状のストッパ部とから成り、可動片には、上蓋の開放端位置に対応する正方向回動端位置でストッパ部の周方向の一方の端面に当接する第１突片が形成されていることが、好ましい。
【００１７】
この構成によれば、上蓋の開放に伴なって可動片がヒンジピン廻りに正方向に回動し、可動片の第１突片が、ヒンジピンに回止め状態で装着された位置規制用座金のストッパ部の一方の端面に当接することで、上蓋の開放端位置が位置規制される。このように、上蓋の開放端位置を位置規制することにより、例えば上蓋の基部が最大開放時に装置本体（ケース）の上面に当接し、これを傷つけるなどの不具合を防止することができる。
【００１８】
この場合、可動片は、ヒンジピンに回動自在に軸支される軸支部と、装置本体または上蓋に固定される取付け片とで構成され、第１突片は、取付け片部の一方の端部で構成されていることが、好ましい。
【００１９】
この構成によれば、部品点数を増やすことなく、可動片の取付け片部を利用して、上蓋の開放端位置を位置規制することができる。
【００２０】
これらの場合、可動片には、上蓋の閉塞端位置に対応する逆方向回動端位置でストッパ部の周方向の他方の端面に当接する第２突片が形成されていることが、好ましい。
【００２１】
この構成によれば、上蓋の閉塞に伴なって可動片がヒンジピン廻りに逆方向に回動し、可動片の第２突片が、位置規制用座金のストッパ部の他方の端面に当接することで、上蓋の閉塞端位置が位置規制される。このように、上蓋の閉塞端位置を位置規制することにより、例えば装置本体（ケース）の上面が上蓋の閉塞時に過度な衝撃を受けるの防止することができる。
【００２２】
この場合、可動片は、ヒンジピンに回動自在に軸支される軸支部と、装置本体または上蓋に固定される取付け片とで構成され、第２突片は、軸支部の径方向に突出する部位を位置規制用座金側に折り曲げて形成されていることが好ましい。
【００２３】
この構成によれば、部品点数を増加させることなく、第２突片を簡単に形成することができる。
【００２４】
これらの場合、上蓋が装置本体の上面に倒れ込む完全閉塞状態において、第２突片はストッパ部の他方の端面との間にわずかに間隙を存して対峙していることが、好ましい。
【００２５】
この構成によれば、上蓋の成形（加工）精度やヒンジ機構の組付け精度などに基づいて、完全閉塞状態の上蓋と装置本体（ケース）の上面との間に隙間が生じ、上蓋が浮いた状態で閉塞されるのを防止することができる。なお、上記の第２突片とストッパ部の間の間隙は、角度にして１．５°程度とすることが、好ましい。
【００２６】
これらの場合、可動片と位置規制用座金との相互の摺接面には、一方に凹部が、他方にこれにクリック係合する凸部がそれぞれ形成され、凹部と凸部とは、上蓋が閉塞端位置に回動したときにクリック係合することが、好ましい。
【００２７】
この構成によれば、板ばねにより制動トルクを受けながら閉塞される上蓋が閉塞端位置に達すると、可動片と位置規制用座金との相互の凹部および凸部がクリック係合するため、閉塞した上蓋が制動トルクにより開放方向に戻ることがなく、上蓋を装置本体（ケース）の上面に接触するように完全閉塞することができる。
【００２８】
この場合、凹部はその縁部を直角に切り込まれ、凸部は台形形状に突出形成されていることが、好ましい。
【００２９】
この構成によれば、直角に落ち込む凹部に台形の凸部がクリック係合するときに、凸部は台形の斜面の部分から凹部に落ち込んでゆく。このため、斜面の角度に基づく分力は、この落ち込んでゆくときに斜面が縁部に当たっている間中、安定して作用する。すなわち、半円形の凸部などに比してクリック係合が安定し、凹部と凸部との位置ずれを吸収することができる。
【００３０】
これらの場合、ヒンジピンは、フランジ状の頭部と頭部から延びる胴部とから成り、胴部の先端部で固定片に固着していることが、好ましい。
【００３１】
この構成によれば、ヒンジピンに対する固定片、可動片、板ばねおよび位置規制用座金などの組み付けを簡単に行うことができ、且つこれらをコンパクトに組み上げることができる。
【００３２】
【発明の実施の形態】
以下、添付の図面を参照して、本発明の一実施形態に係るテープ印刷装置およびヒンジ機構について説明する。このテープ印刷装置は、剥離付きの印刷テープに所望の文字や図形などを印刷すると共に、印刷テープの印刷済み部分を所定の長さに切断して、ラベルを作成するものである。
【００３３】
図１はテープ印刷装置の全体斜視図であり、図２は上蓋を開放したテープ印刷装置の全体斜視図であり、図３は開閉蓋を開放したテープ印刷装置の全体斜視図である。これらの図に示すように、テープ印刷装置１は、外殻を装置ケース３で構成した装置本体２と、装置本体２に着脱自在に装着されたテープカートリッジ４とから成り、印刷対象物となる印刷テープ５は、テープカートリッジ４に収容されている。装置本体２の左後部上面には窓付きの開閉蓋６が配設され、開閉蓋６の内部に形成したカートリッジ収納部７に、上記のテープカートリッジ４が着脱自在に装置されている。また、開閉蓋６の右隣りには、開閉蓋６を開放操作する操作ボタン８が配設されている。
【００３４】
装置本体２の右後部上面には、印刷テープ５の隅部をトリミングする成形切断機構（図示省略）が内蔵されており、装置ケース３のこの部分には、印刷テープ（ラベル）５を成形切断機構に送り込むためのテープ挿入ガイド９と、これに連なるスリット状のテープ挿入口１０が形成されている。さらに、装置本体２の右側面後部には、電源用コネクタ１１と、パーソナルコンピュータなどと接続するための接続用コネクタ１２とが設けられている。
【００３５】
図示しないが、装置本体２の右側面後部には、印刷済みの印刷テープ５を装置外部に繰り出すためのテープ排出口が形成され、またこのテープ排出口と上記のカートリッジ収納部７との間には、装置ケース３および開閉蓋６の一部を防滴形に突出させて、印刷テープ５をフルカットするカッタと、ハーフカットするスライドカッタとが内蔵されている（図示省略）。一方、装置本体２の左前部には、電源スイッチ１３およびパーソナルコンピュータなどと接続するための接続スイッチ１４が設けられている。
【００３６】
装置本体２の前部には三日月形状の表示部１５が突出形成されており、表示部１５の表面には、電源ランプなどの各種の表示ランプ１６が配設されている。また、表示部１５の後方には、キーボード１７が配設されると共に、このキーボード１７の上側にはこれを覆う大型の上蓋１８が配設されている。上蓋１８は、上記の開閉蓋６を逃げた右半部に内臓したヒンジ機構（図４参照）１９を中心に上側に開閉され、キーボード１７を開放すると共に、上蓋１８の内側に組み込まれた液晶ディスプレイ２０を斜め上向きに開放する。すなわち、上蓋１８を後方斜め姿勢に開放すると、手前にキーボード１７が前方に液晶ディスプレイ２０が位置し、入力作業が行える状態となる。
【００３７】
このように構成された装置本体２は、キーボード１７の配置部分を主体としたウェッジ状のベース部分に、上蓋１８の配置部分を主体としてドーム部分が載った形態にデザインされている。なお、上記の表示部１５と閉塞状態の上蓋１８との間には、細長い溝２１が形成されており、この溝２１部分は、図示しない裏面側の凹部と協働して手提げ用のグリップを構成すると共に、上蓋１８の開閉するときの指を差し込む部分となっている。
【００３８】
このテープ印刷装置１では、先ず、操作ボタン８を押釦して開閉蓋６を開放し、カートリッジ収納部７にテープカートリッジ４を装着する。なお、特に図示しないが、テープカートリッジ４には、印刷テープ５の他、インクリボン、プラテンなどが搭載されており、テープカートリッジ４をカートリッジ収納部７に装着すると、印刷テープ５の繰出し端部とこれに添えたインクリボンとが、装置本体２側の印刷ヘッドとプラテンとの間に挿入され、且つ駆動係の回転軸がプラテンおよびインクリボンの巻取り側のリールに係合する。そして、開閉蓋６の閉塞に伴なって、印刷ヘッドが印刷テープ５およびインクリボンをプラテンに押し付けて、印刷待機状態となる。
【００３９】
次に、電源スイッチ１３をＯＮすると共に、これに相前後して上蓋１８を開放して、入力の準備を行う。ここで、液晶ディスプレイ２０を参照しながらキーボード１７を操作して、所望の文字などのキャラクタを入力すると共に編集を行った後、キーボード１７上で印刷を指令する。印刷指令が為されると、印刷テープ５とインクリボンとが同時に送られ、適宜印刷ヘッドが駆動して印刷テープ５に熱転写による印刷が行われる。印刷後のインクリボンは巻き取られるが、印刷テープ５は図外のテープ排出口から装置ケース３の外部に送り出されてゆく（図２および図３参照）。印刷が完了すると内蔵されたカッタおよびスライドカッタが駆動して、印刷テープ５の印刷済み部分をハーフカットおよびフルカットする。
【００４０】
一方、このようにして形成された印刷テープ５の印刷済み部分、すなわちラベル（５）をトリミングする場合には、ラベル（５）の端部をテープ挿入ガイド９に案内させてテープ挿入口１０に挿入する。テープ挿入口１０にラベル（５）が挿入されると、内蔵する成形切断機構が起動して、印刷テープ（ラベル）５の角部がアール形状に成形切断される。
【００４１】
図１および図２に示すように、上蓋１８は、液晶ディスプレイ２０を組み込んだ上蓋本体３１と、ヒンジ機構１９を組み込んだヒンジ部３２とで構成され、ヒンジ部３２は、上蓋本体３１の後端部において右部の略半部に延設されている。また、上蓋１８の外殻は、上蓋本体３１からヒンジ部３２に亘って上蓋１８の表側を形成する蓋部ケース３４と、ヒンジ部３２を裏面側から覆うヒンジ部ケース３５とで構成されており、ドーム形状の主体を為す蓋部ケース３４は、その後部上面が、開閉蓋６の上面や操作ボタン８の周囲と面一に形成されている。
【００４２】
すなわち、ヒンジ部３２は、カートリッジ収納部７に隣接する左側のヒンジ受け部位３７ａと、上記のテープ挿入ガイド９から前方に延びる右側のヒンジ受け部位３７ｂとの間に嵌合した状態で、支持されている。上記左側のヒンジ受け部位３７ａは、カートリッジ収納部７と共に開閉蓋６で覆われており、この開閉蓋６の前部と上蓋１８のヒンジ部３２とが、前後方向にオーバーラップして配設されている。したがって、図１に示すように、開閉蓋６は、上蓋１８の後部に喰い込むように配設されている。
【００４３】
この場合、上蓋１８および開閉蓋６は、いずれも前部を跳ね上げるようにして開放されるため、図２に示すように、上蓋１８を開放した場合には、操作ボタン８を押してそのロックを解除しても、開閉蓋６は上蓋本体３１の基部につかえてわずかに開放されるだけで、完全に開放できない。また、操作ボタン８もヒンジ部３２の後方直近に配設されていて、上蓋１８を開放したときに、操作ボタン８を操作し難い、或いは操作不能となる構造になっている。実施形態のテープ印刷装置１では、開閉蓋６を開放すると電源が自動的にＯＦＦする構造になっているが、この上蓋１８、開閉蓋６および操作ボタン８の配置構成により、上蓋１８を開放して入力作業や印刷作業を行っているときに、誤って開閉蓋６が開放されてしまうのを有効に防止している。
【００４４】
次に、ヒンジ機構１９について詳細に説明する。図４に示すように、ヒンジ機構１９は、左右一対のヒンジピン２３ａ，２３ｂと、左側のヒンジピン２３ａに組み込んだ回動制止機構２４とで構成されている。右側のヒンジピン２３ｂは、左半部を蓋部ケース３４に固定され、右半部を上記の右側のヒンジ受け部位３７ａ（図２参照）に回動自在に軸支されている。左側のヒンジピン２３ａは回動制止機構２４に組み込まれて、ヒンジアッセンブリを構成している。すなわち、上蓋１８は、両ヒンジピン２３ａ，２３ｂにより両持ちで装置本体２に回動自在に支持され、且つ回動制止機構２４により任意の開放角度に制止可能に構成されている。
【００４５】
ここで、ヒンジアッセンブリである左側のヒンジピン２３ａおよび回動制止機構２４について、図５、図６および図７を参照して詳細に説明する。回動制止機構２４は、一端を上記の左側のヒンジ受け部位３７ａ（装置本体２）に固定した固定片４１と、上記の蓋部ケース（上蓋１８）３４に固定した可動片４２と、可動片４２を軸方向に付勢する板ばね４３と、板ばね４３に添設したワッシャ４４と、可動片４２に添設した位置規制用座金４５とで構成されており、これらにヒンジピン２３ａが挿通している。
【００４６】
ヒンジピン２３ａは、円形の頭部５１と、頭部５１から延び両側を面取りした胴部５２と、胴部５２の先端部に位置する段部５３とで一体に形成されている。そして、ヒンジピン２３ａの胴部５２には頭部５１側から、位置規制用座金４５、可動片４２、板ばね４３、ワッシャ４４および固定片４１の順で、回動制止機構２４の構成部品が重ねるようにして装着され、板ばね４３に抗した状態で先端の段部５３に固定片４１が固着されている。
【００４７】
固定片４１は、ヒンジピン２３ａに固着される軸着部６１と、ヒンジ受け部位３７ａにねじ止めされる取付け片部６２とを、直角に折り曲げて一体に形成されている。軸着部６１の中心位置には、方形の軸着孔６３が形成されており、この軸着孔６３にヒンジピン２３ａの段部５３が嵌合した状態で固着されている。ワッシャ４４は、中心位置にヒンジピン２３ａの胴部５２に対し回止めとなる角孔６５を有し、一方の面で固定片４１に接触し他方の面で板ばね４３に接触している。このワッシャ４４により、板ばね４３のばね力を周方向において安定させ得るようになっている。
【００４８】
板ばね４３は、ヒンジピン２３ａの胴部５２に回動自在（回転自在）に挿通する円形孔６７を有して環状に形成されていて、その面方向の撓みにより可動片４２を軸方向に付勢している。すなわち、可動片４２と固定片４１との間に板ばね４３およびワッシャ４４が挟持され、板ばね４３により可動片４２が軸方向に付勢されることにより、可動片４２と板ばね４３或いは板ばね４３とワッシャ４４の間に摩擦力が生じ、可動片４２に制動トルクが付与される。これにより、可動片４２を介して上蓋１８を任意の開放位置（開放角度）に制止させ得るようになっている。
【００４９】
可動片４２は、ヒンジピン２３ａの胴部５２に回動自在に軸支される略円形の軸支部６９と、上記の蓋部ケース３４にねじ止めされる取付け片部７０とを、直角に折り曲げて一体に形成されている。取付け片部７０は、軸支部６９との間の曲がり部分から一方向に長方形に延びており、蓋部ケース３４のボス部にねじ止めされる。軸支部６９の中心位置には円形の軸孔７１が形成され、この軸孔７１の部分でヒンジピン２３ａに回動自在に軸支されている。
【００５０】
また、軸支部６９の周縁部において１８０°対象位置（２個所）には、後述する位置規制用座金４５の係合凸部７８，７８がクリック係合する切欠き凹部７２，７２が形成されている。さらに、軸支部６９には、その外周部から係方向に突出するように方形の突出片７３が延設されており、この突出片７３は位置規制用座金４５側に折り曲げられている。
【００５１】
位置規制座金４５は、前記ヒンジピン２３ａの胴部５２に回止め状態で装着した環状の座金本体７５と、座金本体７５から径方向の外側に延設した略扇形舌片状のストッパ片部７６とで、一体に形成されている。座金本体７５の中心位置には回止めとなる角孔７７が形成され、また周縁部の１８０°対象位置（２個所）には、上記可動片４２の切欠き凹部７２，７２に係合する係合凸部７８，７８が形成されている。各係合凸部７８は、プレスにより軸方向に打ち出すようにして形成され、その突出形状は周方向において台形形状を為している（図７参照）。
【００５２】
一対の切欠き凹部７２，７２に一対の係合凸部７８，７８がクリック係合する状態は、可動片４２を介して上蓋１８が閉塞したときであり、この係合により閉塞した上蓋１８が位置規制され、開放方向にわずかに戻ってしまうのを防止している。すなわち、閉塞動作する上蓋１８には板ばね４３による制動トルクが作用しており、切欠き凹部７２と係合凸部７８との係合により、閉塞した上蓋１８が装置ケース３の上面から浮き上がってしまうのを防止している。また、係合凸部７８が台形形状を有しており、その斜面（斜辺）が切欠き凹部７２の角部に当接するようにして係合するため、斜面の長さに亘って一定の分力が作用し、上蓋１８の閉塞位置の精度が低くても、閉塞した上蓋１８を装置ケース３の上面に押し付けておくことができる。
【００５３】
ストッパ片部７６は、略扇状を為してその両側端（周方向の端）７６ａ，７６ｂが座金本体７５の中心から径方向に延在している。そして、図８に示すように、ストッパ片部７６の一方の端部７６ａには、上蓋１８が開放端位置に回動（正方向の回動）したときに可動片４２の取付け片部７０の基端７０ａが突き当たり、他方の端部７６ｂには、上蓋１８が閉塞端位置に回動（逆方向の回動）したときに可動片４２の突出片７３が突き当たるようになっている。
【００５４】
なお、上述したように、閉塞した上蓋１８は装置ケース３との間に隙間が生じないように、装置ケース３の上面に押し付けられることになる。このため、実際には、同図（ａ）に示すように、ストッパ片部７６の他方の端部７６ｂと可動片４２の突出片７３とは、上蓋１８が閉塞した状態で１．５°の角度を存して対峙するように設計されている。これにより、回動制止機構２４廻りの部品に製造上の誤差や取付け誤差があっても、閉塞した上蓋１８と装置ケース２との間に隙間が生じないようになっている。
【００５５】
図９に示すように、上蓋１８が閉塞した状態では、可動片４２はほぼ水平に位置しており、可動片４２の切欠き凹部７２に位置規制用座金４５の係合凸部７８がクリック係合すると共に、ストッパ片部７６の他方の端部７６ｂと可動片４４の突出片７３とがわずかな間隙を存して周方向に対峙している（図８（ａ）参照）。この状態から上蓋１８を開放し、液晶ディスプレイ２０を斜め後方の起立させた角度で作業を行うが、最大限に開放した開放端位置では、図１０に示すように、可動片４２は後方斜めに傾いて位置しており、ストッパ片部７６の一方の端部７６ａに可動片４２の取付け片部７０の基端７０ａが当接している（図８（ａ）参照）。したがって、上蓋１８を最大限に開放しても、上蓋１８の一部が装置ケース３の上面などに突き当たることがなく、装置ケース３を傷つけることがない。
【００５６】
このように本実施形態では、上蓋１８のヒンジ部３２と、開閉蓋６の前部とを前後方向にオーバーラップするように配置しているため、このオーバーラップさせた分、装置本体２の前後方向の寸法を短くすることができる。したがって、カートリッジ収納部７、キーボード１７および液晶ディスプレイ２０の大きさを犠牲にすることなく、テープ印刷装置１をコンパクトに構成することができる。また、板ばね４３により、上蓋１８への制動トルクを付与するようにしているため、ヒンジ機構１９をコンパクトに構成することができる。
【００５７】
なお、ヒンジ機構の回動制止機構は、ヒンジ部の右側に組み込んでもよいし、左右両側に組み込んでもよい。また、ヒンジピンは１本ものを通しで設けるようにしてもよい。さらに、ヒンジ部を右側に寄せて配置したが、カートリッジ収納部の位置などによっては、左側に寄せて配置してもよい。
【００５８】
【発明の効果】
以上のように、本発明のテープ印刷装置によれば、上蓋のヒンジ部が、上蓋本体の後端部において左右いずれかの略半部に延設されているため、装置本体の上面中間部の略半部に、適宜部品などを配置することができる。したがって、液晶ディスプレイ付きの上蓋を設けても装置本体を小型化することができる。
【００５９】
また、本発明のヒンジ機構によれば、装置本体および上蓋に固定した固定片および可動片と、可動片に付勢しなが摺接する板ばねとを、ヒンジピンの軸方向に並べて配置することができるため、コンパクトに構成することができる。また、板ばねにより、可動片に安定した制動トルクを作用させることができるため、上蓋を無理なく開閉することができると共に、任意の開放角度に適切に制止させることができる。
【図面の簡単な説明】
【図１】本発明の一実施形態に係るテープ印刷装置の外観斜視図である。
【図２】実施形態に係るテープ印刷装置の上蓋を開放した状態の外観斜視図である。
【図３】実施形態に係るテープ印刷装置の開閉蓋を開放した状態の外観斜視図である。
【図４】ヒンジ機構を組み込んだ上蓋を裏面側から見た斜視図である。
【図５】ヒンジ機構の回動制止機構回りの全体斜視図である。
【図６】ヒンジ機構の回動制止機構回りの分解斜視図である。
【図７】ヒンジ機構の回動制止機構回りの側面図である。
【図８】ヒンジ機構の回動状態を示す側面図である。
【図９】上蓋の閉塞状態とヒンジ機構との関係を表したテープ印刷装置の側面図である。
【図１０】上蓋の開放状態とヒンジ機構との関係を表したテープ印刷装置の側面図である。
【符号の説明】
１  テープ印刷装置                  ２  装置本体
３  装置ケース                      ６  開閉蓋
７  カートリッジ収納部              ８  操作ボタン
１７  キーボード                    １８  上蓋
１９  ヒンジ機構                    ２０  液晶ディスプレイ
２３ａ  ヒンジピン                    ２４  回動制止機構
３１  上蓋本体                      ３２  ヒンジ部
４１  固定片                        ４２  可動片
４３  板ばね                        ４４  ワッシャ
４５  位置規制用座金                ５１  頭部
５２  胴部                          ６９  軸支部
７０  取付け片部                  ７０ａ  基端
７２  切欠き凹部                    ７３  突出片
７５  座金本体                      ７６  ストッパ片部
７６ａ  一方の端部                  ７６ｂ  他方の端部
７８  係合凸部
【図１】
0004501273.tif 000002
【図２】
0004501273.tif 000003
【図３】
0004501273.tif 000004
【図４】
0004501273.tif 000005
【図５】
0004501273.tif 000006
【図６】
0004501273.tif 000007
【図７】
0004501273.tif 000008
【図８】
0004501273.tif 000009
【図９】
0004501273.tif 000010
【図１０】
0004501273.tif 000011